(57)【要約】【課題】  先端に設けた工具の姿勢を遠隔操作で変更することができ、工具の姿勢を適正に保つことができる遠隔操作型アクチュエータを提供する。【解決手段】  細長形状のスピンドルガイド部３と、その先端に姿勢変更自在に取付けられた先端部材２とを備える。先端部材２は、工具１を保持するスピンドル１３を回転自在に支持する。スピンドルガイド部３は、工具回転用駆動源４１の回転をスピンドル１３に伝達する回転軸２２を有する。ガイド孔３０ａ内に挿通された姿勢操作部材３１を、姿勢制御用駆動源４２で進退させる。姿勢制御手段５３の初期姿勢保持制御部５３ａは、先端部材２を初期姿勢に保持する初期姿勢保持力を姿勢操作部材３１に与えるように姿勢制御用駆動源４２を制御する。姿勢変更制御部５３ｂは、初期姿勢保持力よりも大きな力で先端部材２の姿勢を変更させるように姿勢制御用駆動源４２を制御する。【選択図】        図１
2010063656.tif 000002
【特許請求の範囲】
【請求項１】
細長形状のスピンドルガイド部と、このスピンドルガイド部の先端に先端部材連結部を介して姿勢変更自在に取付けられた先端部材と、前記スピンドルガイド部の基端が結合された駆動部ハウジングとを備え、
前記先端部材は、工具を保持するスピンドルを回転自在に支持し、前記スピンドルガイド部は、前記駆動部ハウジング内に設けられた工具回転用駆動源の回転を前記スピンドルに伝達する回転軸と、両端に貫通したガイド孔とを内部に有し、前記ガイド孔内に、先端が前記先端部材に接する姿勢操作部材を進退自在に挿通し、この姿勢操作部材に対し進退方向の力を与える姿勢制御用駆動源を前記駆動部ハウジング内に設けると共に、前記姿勢制御用駆動源を制御する姿勢制御手段を設け、
この姿勢制御手段は、前記先端部材を静止状態の初期姿勢で姿勢保持可能とする初期姿勢保持力を前記姿勢操作部材に与えるように前記姿勢制御用駆動源を制御する初期姿勢保持制御部と、前記初期姿勢保持力よりも大きな力を前記姿勢操作部材に与えて姿勢操作部材を進退させることにより前記先端部材の姿勢を変更させるように前記姿勢制御用駆動源を制御する姿勢変更制御部とを有することを特徴とする遠隔操作型アクチュエータ。
【請求項２】
請求項１において、前記先端部材の姿勢は、この先端部材が前記初期姿勢にあるときの前記姿勢操作部材の位置を基準位置として、この基準位置に対する前記姿勢操作部材の進退量に応じて決定される遠隔操作型アクチュエータ。
【請求項３】
請求項２において、前記先端部材の目標姿勢を設定する姿勢設定手段を有し、前記姿勢変更制御部は、前記姿勢設定手段で設定された前記先端部材の目標姿勢をそれに相当する前記姿勢操作部材の進退量に変換し、その変換した進退量に応じて前記姿勢制御用駆動源の動作量を変化させる遠隔操作型アクチュエータ。
【請求項４】
請求項３において、前記姿勢制御用駆動源の動作量を検出し、その出力を前記姿勢変更制御部にフィードバックする動作量検出器を設けた遠隔操作型アクチュエータ。
【請求項５】
請求項１ないし請求項４のいずれか１項において、前記姿勢制御用駆動源、またはこの姿勢制御用駆動源と前記先端部材との間に、前記先端部材からの力で前記姿勢制御用駆動源が動作するのを防止する逆入力防止機構を有する遠隔操作型アクチュエータ。
【請求項６】
請求項１ないし請求項５のいずれか１項において、前記姿勢制御用駆動源は電動アクチュエータであり、この電動アクチュエータをＰＷＭ波の電力により駆動する遠隔操作型アクチュータ。
【請求項７】
請求項１ないし請求項６のいずれか１項において、前記姿勢制御用駆動源がリニアアクチュエータである遠隔操作型アクチュエータ。
【請求項８】
請求項１ないし請求項７のいずれか１項において、前記リニアアクチュエータの推力を増力して前記姿勢操作部材に伝達するレバー機構からなる増力伝達機構を設けた遠隔操作型アクチュエータ。
【請求項９】
請求項８において、前記増力伝達機構のレバーの歪みを検出する歪みセンサと、この歪みセンサの出力から前記先端部材に作用する外力を推定する外力推定手段とを設けた遠隔操作型アクチュエータ。
【請求項１０】
細長形状のスピンドルガイド部と、このスピンドルガイド部の先端に先端部材連結部を介して姿勢変更自在に取付けられた先端部材と、前記スピンドルガイド部の基端が結合された駆動部ハウジングとを備え、
前記先端部材は、工具を保持するスピンドルを回転自在に支持し、前記スピンドルガイド部は、前記駆動部ハウジング内に設けられた工具回転用駆動源の回転を前記スピンドルに伝達する回転軸と、両端に貫通したガイド孔とを内部に有し、前記ガイド孔内に、先端が前記先端部材に接する姿勢操作部材を進退自在に挿通し、この姿勢操作部材に対し進退方向の力を与える姿勢制御用駆動源を前記駆動部ハウジング内に設けると共に、前記姿勢制御用駆動源を制御する姿勢制御手段を設け、
前記姿勢制御用駆動源、またはこの姿勢制御用駆動源と前記先端部材との間に、前記先端部材からの力で前記姿勢制御用駆動源が動作するのを防止する逆入力防止機構を設けた遠隔操作型アクチュエータ。
【発明の詳細な説明】
【技術分野】
【０００１】
この発明は、工具の姿勢を遠隔操作で変更可能で、医療用、機械加工等の用途で用いられる遠隔操作型アクチュエータに関する。
【背景技術】
【０００２】
医療用として骨の加工に用いられたり、機械加工用としてドリル加工や切削加工に用いられたりする遠隔操作型アクチュエータがある。遠隔操作型アクチュエータは、直線形状や湾曲形状をした細長いパイプ部の先端に設けた工具を遠隔操作で制御する。ただし、従来の遠隔操作用アクチュエータは、工具の回転のみを遠隔操作で制御するだけであったため、医療用の場合、複雑な形状の加工や外からは見えにくい箇所の加工が難しかった。また、ドリル加工では、直線だけではなく、湾曲状の加工が可能なことが求められる。さらに、切削加工では、溝内部の奥まった箇所の加工が可能なことが求められる。以下、医療用を例にとって、遠隔操作型アクチュエータの従来技術と課題について説明する。
【０００３】
整形外科分野において、骨の老化等によって擦り減って使えなくなった関節を新しく人工のものに取り替える人工関節置換手術がある。この手術では、患者の生体骨を人工関節が挿入できるように加工する必要があるが、その加工には、術後の生体骨と人工関節との接着強度を高めるために、人工関節の形状に合わせて精度良く加工することが要求される。
【０００４】
例えば、股関節の人工関節置換手術では、大腿骨の骨の中心にある髄腔部に人工関節挿入用の穴を形成する。人工関節と骨との接触強度を保つには両者の接触面積を大きくとる必要があり、人工関節挿入用の穴は、骨の奥まで延びた細長い形状に加工される。このような骨の切削加工に用いられる医療用アクチュエータとして、細長いパイプ部の先端に工具を回転自在に設け、パイプ部の基端側に設けたモータ等の回転駆動源の駆動により、パイプ部の内部に配した回転軸を介して工具を回転させる構成のものがある（例えば特許文献１）。この種の医療用アクチュエータは、外部に露出した回転部分は先端の工具のみであるため、工具を骨の奥まで挿入することができる。
【０００５】
人工関節置換手術では、皮膚切開や筋肉の切断を伴う。すなわち、人体に傷を付けなければならない。その傷を最小限に抑えるためには、前記パイプ部は真っ直ぐでなく、適度に湾曲している方が良い場合がある。このような状況に対応するためのものとして、次のような従来技術がある。例えば、特許文献２は、パイプ部の中間部を２重に湾曲させて、パイプ部の先端側の軸心位置と基端側の軸心位置とをずらせたものである。このようにパイプ部の軸心位置が先端側と軸心側とでずれているものは、他にも知られている。また、特許文献３は、パイプ部を１８０度回転させたものである。
【特許文献１】特開２００７−３０１１４９号公報
【特許文献２】米国特許第４，４６６，４２９号明細書
【特許文献３】米国特許第４，２６５，２３１号明細書
【特許文献４】特開２００１−１７４４６号公報
【発明の開示】
【発明が解決しようとする課題】
【０００６】
生体骨の人工関節挿入用穴に人工関節を嵌め込んだ状態で、生体骨と人工関節との間に広い隙間があると、術後の接着時間が長くなるため、前記隙間はなるべく狭いのが望ましい。また、生体骨と人工関節の接触面が平滑であることも重要であり、人工関節挿入用穴の加工には高い精度が要求される。しかし、パイプ部がどのような形状であろうとも、工具の動作範囲はパイプ部の形状の制約を受けるため、皮膚切開や筋肉の切断をできるだけ小さくしながら、生体骨と人工関節との間の隙間を狭くかつ両者の接触面が平滑になるように人工関節挿入用穴を加工するのは難しい。
【０００７】
一般に、人工関節置換手術が行われる患者の骨は、老化等により強度が弱くなっていることが多く、骨そのものが変形している場合もある。したがって、通常考えられる以上に、人工関節挿入用穴の加工は難しい。
【０００８】
そこで、本出願人は、人工関節挿入用穴の加工を比較的容易にかつ精度良く行えるようにすることを目的として、先端に設けた工具の姿勢を遠隔操作で変更可能とすることを試みた。工具の姿勢が変更可能であれば、パイプ部の形状に関係なく、工具を適正な姿勢に保持することができるからである。なお、細長いパイプ部を有しない医療用アクチュエータでは、手で握る部分に対して工具が設けられた部分が姿勢変更可能なものがある（例えば特許文献４）が、遠隔操作で工具の姿勢を変更させるものは提案されていない。
【０００９】
この発明の目的は、細長いパイプ部の先端に設けられた工具の姿勢を遠隔操作で変更することができ、工具の姿勢を静止時、姿勢変更時共に適正に保つことができる遠隔操作型アクチュエータを提供することである。
この発明の他の目的は、細長いパイプ部の先端に設けられた工具の姿勢を遠隔操作で変更することができ、比較的小さな駆動源を用いて工具の姿勢変更を行える遠隔操作型アクチュエータを提供することである。
【課題を解決するための手段】
【００１０】
この発明における第１の発明にかかる遠隔操作型アクチュエータは、細長形状のスピンドルガイド部と、このスピンドルガイド部の先端に先端部材連結部を介して姿勢変更自在に取付けられた先端部材と、前記スピンドルガイド部の基端が結合された駆動部ハウジングとを備え、前記先端部材は、工具を保持するスピンドルを回転自在に支持し、前記スピンドルガイド部は、前記駆動部ハウジング内に設けられた工具回転用駆動源の回転を前記スピンドルに伝達する回転軸と、両端に貫通したガイド孔とを内部に有し、前記ガイド孔内に、先端が前記先端部材に接する姿勢操作部材を進退自在に挿通し、この姿勢操作部材に対し進退方向の力を与える姿勢制御用駆動源を前記駆動部ハウジング内に設けると共に、前記姿勢制御用駆動源を制御する姿勢制御手段を設け、この姿勢制御手段は、前記先端部材を静止状態の初期姿勢で姿勢保持可能とする初期姿勢保持力を前記姿勢操作部材に与えるように前記姿勢制御用駆動源を制御する初期姿勢保持制御部と、前記初期姿勢保持力よりも大きな力を前記姿勢操作部材に与えて姿勢操作部材を進退させることにより前記先端部材の姿勢を変更させるように前記姿勢制御用駆動源を制御する姿勢変更制御部とを有することを特徴とする。
【００１１】
この構成によれば、工具回転用駆動源の回転が回転軸を介して先端部材のスピンドルに伝達され、このスピンドルに保持された工具が回転することにより、骨等の切削が行われる。その際、先端部材の姿勢は、先端部材に作用する外力と姿勢制御用駆動源の推力とのバランスによって決定される。そこで、姿勢制御手段の初期姿勢保持制御部により、初期姿勢保持力を姿勢操作部材に与えるように姿勢制御用駆動源を制御することで、先端部材を静止状態の初期姿勢に保持する。姿勢制御用駆動源の推力によって、先端部材の姿勢の維持、すなわち先端部材の剛性確保を行うのである。また、先端部材の姿勢を変更するとき等のように、先端部材にそれまでよりも大きな力が作用した場合には、先端部材の姿勢を維持するために姿勢制御用駆動源の推力を大きくすることが必要である。そこで、先端部材の姿勢を変更する場合には、姿勢制御手段の姿勢変更制御部により、前記初期姿勢保持力よりも大きな力を姿勢操作部材に与えるように姿勢制御用駆動源を制御する。このように、初期姿勢保持制御部により先端部材の静止時の姿勢を制御し、かつ姿勢変更制御部により先端部材の姿勢変更時の姿勢を制御することにより、先端部材およびそれに保持された工具の姿勢を静止時、姿勢変更時共に適正に保つことができる。
【００１２】
姿勢制御用駆動源は、スピンドルガイド部の基端側の駆動部ハウジング内に設けられており、先端部材の姿勢変更は遠隔操作で行われる。姿勢操作部材はガイド孔に挿通されているため、姿勢操作部材が長手方向と交差する方向に位置ずれすることがなく、常に先端部材に対し適正に作用することができ、先端部材の姿勢変更動作が正確に行われる。
【００１３】
この発明において、前記先端部材の姿勢は、この先端部材が前記初期姿勢にあるときの前記姿勢操作部材の位置を基準位置として、この基準位置に対する前記姿勢操作部材の進退量に応じて決定されるものとすることができる。その場合、前記先端部材の目標姿勢を設定する姿勢設定手段を有し、前記姿勢変更制御部は、前記姿勢設定手段で設定された前記先端部材の目標姿勢をそれに相当する前記姿勢操作部材の進退量に変換し、その変換した進退量に応じて前記姿勢制御用駆動源の動作量を変化させるのが良い。
このように、姿勢操作部材の進退量に応じて姿勢制御用駆動源の動作量を変化させれば、先端部材の姿勢変更制御が単純化されて容易である。
【００１４】
上記のように姿勢変更制御部が姿勢制御用駆動源を制御する場合、前記姿勢制御用駆動源の動作量を検出し、その出力を前記姿勢変更制御部にフィードバックする動作量検出器を設けるのが良い。
動作量検出器を設けると、姿勢制御用駆動源の動作量を正確に検出することができ、その出力を姿勢変更制御部にフィードバックすることで、姿勢変更制御を精度良く行うことができる。
【００１５】
この発明において、前記姿勢制御用駆動源、またはこの姿勢制御用駆動源と前記先端部材との間に、前記先端部材からの力で前記姿勢制御用駆動源が動作するのを防止する逆入力防止機構を有するのが良い。逆入力防止機構とは、入力端からの入力は伝達するが、出力端からの入力はほとんど伝達不可能な動作伝達機構を言う。逆入力の伝達阻止は、例えば力の伝達方向の違いによって摩擦抵抗が異なること等による。
逆入力防止機構を有すると、電動アクチュエータへの通電時に姿勢操作部材が進退するが、通電を遮断しても姿勢操作部材が逆向きに進退せずに、通電時の推力が維持される。つまり、進退時は瞬時的に高出力で電動アクチュエータを駆動すればよい。対して、逆入力防止機能を有しない場合は、連続的な電動アクチュエータの出力を必要とする。そのため、逆入力防止機構を有すると、電動アクチュエータに小型のモータを使用することができる。また、電動アクチュエータの発熱を抑えることができるとともに、電動アクチュエータの放熱部を小さくすることができる。
逆入力防止機構を設けた場合、請求項１で言う「先端部材を静止状態の初期姿勢で姿勢保持可能とする初期姿勢保持力」は、逆入力防止機構を介して姿勢制御用駆動源に伝わる力のことである。また、「初期姿勢保持力よりも大きな力」は、逆入力防止機構を介して先端部材の姿勢を変更可能な力のことである。
【００１６】
この発明において、前記姿勢制御用駆動源は電動アクチュエータであり、この電動アクチュエータをＰＷＭ波の電力により駆動する構成とすることができる。
電動アクチュエータをＰＷＭ波（パルス幅変調波）の電力により駆動すれば、電動アクチュエータへの通電量を管理し易く、電動アクチュエータの駆動を精度良く制御できる。
【００１７】
この発明において、前記姿勢制御用駆動源をリニアアクチュエータとすることができる。その場合、前記リニアアクチュエータの推力を増力して前記姿勢操作部材に伝達するレバー機構からなる増力伝達機構を設けても良い。
増力伝達機構を設けると、小さな推力のリニアアクチュエータでも姿勢操作部材に大きな力を与えることができるので、リニアアクチュエータの小型化が可能になる。
【００１８】
レバー機構からなる増力伝達機構を有する場合、前記増力伝達機構のレバーの歪みを検出する歪みセンサと、この歪みセンサの出力から前記先端部材に作用する外力を推定する外力推定手段とを設けてもよい。
歪みセンサと外力推定手段を設ければ、先端部材に作用する外力を推定することができ、その推定結果を先端部材の姿勢変更制御や遠隔操作型アクチュエータの安全管理等に利用することができる。
【００１９】
この発明における第２の発明にかかる遠隔操作型アクチュエータは、細長形状のスピンドルガイド部と、このスピンドルガイド部の先端に先端部材連結部を介して姿勢変更自在に取付けられた先端部材と、前記スピンドルガイド部の基端が結合された駆動部ハウジングとを備え、前記先端部材は、工具を保持するスピンドルを回転自在に支持し、前記スピンドルガイド部は、前記駆動部ハウジング内に設けられた工具回転用駆動源の回転を前記スピンドルに伝達する回転軸と、両端に貫通したガイド孔とを内部に有し、前記ガイド孔内に、先端が前記先端部材に接する姿勢操作部材を進退自在に挿通し、この姿勢操作部材に対し進退方向の力を与える姿勢制御用駆動源を前記駆動部ハウジング内に設けると共に、前記姿勢制御用駆動源を制御する姿勢制御手段を設け、前記姿勢制御用駆動源、またはこの姿勢制御用駆動源と前記先端部材との間に、前記先端部材からの力で前記姿勢制御用駆動源が動作するのを防止する逆入力防止機構を設けたことを特徴とする。
【００２０】
この構成によっても、姿勢制御手段で姿勢制御用駆動源を制御することにより、先端部材の姿勢変更が遠隔操作で行われる。前記同様、姿勢操作部材はガイド孔に挿通されているため、姿勢操作部材が長手方向と交差する方向に位置ずれすることがなく、常に先端部材に対し適正に作用することができ、先端部材の姿勢変更動作が正確に行われる。
また、逆入力防止機構を有するため、逆入力防止機能を有しない場合に比べて、先端部材を姿勢変更させる大きな動作量が得られる。そのため、電動アクチュエータに小型のモータを使用することができる。また、電動アクチュエータの発熱を抑えることができるとともに、電動アクチュエータの放熱部を小さくすることができる。
【発明の効果】
【００２１】
この発明における第１の発明の遠隔操作型アクチュエータは、細長形状のスピンドルガイド部と、このスピンドルガイド部の先端に先端部材連結部を介して姿勢変更自在に取付けられた先端部材と、前記スピンドルガイド部の基端が結合された駆動部ハウジングとを備え、前記先端部材は、工具を保持するスピンドルを回転自在に支持し、前記スピンドルガイド部は、前記駆動部ハウジング内に設けられた工具回転用駆動源の回転を前記スピンドルに伝達する回転軸と、両端に貫通したガイド孔とを内部に有し、前記ガイド孔内に、先端が前記先端部材に接する姿勢操作部材を進退自在に挿通し、この姿勢操作部材に対し進退方向の力を与える姿勢制御用駆動源を前記駆動部ハウジング内に設けると共に、前記姿勢制御用駆動源を制御する姿勢制御手段を設け、この姿勢制御手段は、前記先端部材を静止状態の初期姿勢で姿勢保持可能とする初期姿勢保持力を前記姿勢操作部材に与えるように前記姿勢制御用駆動源を制御する初期姿勢保持制御部と、前記初期姿勢保持力よりも大きな力を前記姿勢操作部材に与えて姿勢操作部材を進退させることにより前記先端部材の姿勢を変更させるように前記姿勢制御用駆動源を制御する姿勢変更制御部とを有するため、細長いパイプ部としてのスピンドルガイド部の先端に設けられた先端部材および工具の姿勢を遠隔操作で変更することができ、先端部材および工具の姿勢を静止時、姿勢変更時共に適正に保つことができる。
【００２２】
また、この発明における第２の発明の遠隔操作型アクチュエータは、細長形状のスピンドルガイド部と、このスピンドルガイド部の先端に先端部材連結部を介して姿勢変更自在に取付けられた先端部材と、前記スピンドルガイド部の基端が結合された駆動部ハウジングとを備え、前記先端部材は、工具を保持するスピンドルを回転自在に支持し、前記スピンドルガイド部は、前記駆動部ハウジング内に設けられた工具回転用駆動源の回転を前記スピンドルに伝達する回転軸と、両端に貫通したガイド孔とを内部に有し、前記ガイド孔内に、先端が前記先端部材に接する姿勢操作部材を進退自在に挿通し、この姿勢操作部材に対し進退方向の力を与える姿勢制御用駆動源を前記駆動部ハウジング内に設けると共に、前記姿勢制御用駆動源を制御する姿勢制御手段を設け、前記姿勢制御用駆動源、またはこの姿勢制御用駆動源と前記先端部材との間に、前記先端部材からの力で前記姿勢制御用駆動源が動作するのを防止する逆入力防止機構を設けたため、細長いパイプ部としてのスピンドルガイド部の先端に設けられた工具の姿勢を遠隔操作で変更することができ、比較的小さな駆動源を用いて工具の姿勢変更を行える。
【発明を実施するための最良の形態】
【００２３】
この発明の実施形態を図１〜図４と共に説明する。図１において、この遠隔操作型アクチュエータは、回転式の工具１を保持する先端部材２と、この先端部材２が先端に姿勢変更自在に取付けられた細長形状のスピンドルガイド部３と、このスピンドルガイド部３の基端が結合された駆動部ハウジング４ａと、この駆動部ハウジング４ａ内の工具回転用駆動機構４ｂおよび姿勢制御用駆動機構４ｃを制御するコントローラ５とを備える。駆動部ハウジング４ａは、内蔵の工具回転用駆動機構４ｂおよび姿勢制御用駆動機構４ｃと共に駆動部４を構成する。
【００２４】
図２および図３に示すように、先端部材２は、略円筒状のハウジング１１の内部に、一対の軸受１２によりスピンドル１３が回転自在に支持されている。スピンドル１３は、先端側が開口した筒状で、内径のスプライン部１３ａに工具１のシャンク１ａが回転不能に嵌合し、抜け止めピン１４によりシャンク１ａの抜け止めがされている。この先端部材２は、先端部材連結部１５を介してスピンドルガイド部３の先端に取付けられる。先端部材連結部１５は、先端部材２を姿勢変更自在に支持する手段であり、球面軸受からなる。具体的には、先端部材連結部１５は、ハウジング１１の基端の内径縮径部からなる被案内部１１ａと、スピンドルガイド部３の先端に固定された抜け止め部材２１の鍔状部からなる案内部２１ａとで構成される。両者１１ａ，２１ａの互いに接する各案内面ｆ１，ｆ２は、先端部材２の中心線ＣＬ１上に曲率中心Ｏが位置し、基端側ほど径が小さい球面とされている。これにより、スピンドルガイド部３に対して先端部材２が抜け止めされるとともに、姿勢変更自在に支持される。図２は先端部材２の中心線ＣＬ１とスピンドルガイド部３の中心線ＣＬ２とが同一線である状態を示し、図３は両中心線ＣＬ１，ＣＬ２が互いに交差した状態を示す。
【００２５】
スピンドルガイド部３は、駆動部ハウジング４ａ内の工具回転用駆動源４１（図１）の回転力を前記スピンドル１３へ伝達する回転軸２２を有する。この例では、回転軸２２はワイヤとされ、ある程度の弾性変形が可能である。ワイヤの材質としては、例えば金属、樹脂、グラスファイバー等が用いられる。ワイヤは単線であっても、撚り線であってもよい。図２（Ｃ）に示すように、スピンドル１３と回転軸２２とは、自在継手等の継手２３を介して回転伝達可能に接続されている。継手２３は、スピンドル１３の閉塞した基端に設けられた溝１３ａと、回転軸２２の先端に設けられ前記溝１３ａに係合する突起２２ａとで構成される。上記溝１３ａと突起２２ａとの連結箇所の中心は、前記案内面ｆ１，ｆ２の曲率中心Ｏと同位置である。回転軸２２と突起２２ａは別部材として構成しても良い。
【００２６】
スピンドルガイド部３は、このスピンドルガイド部３の外郭となる外郭パイプ２５を有し、この外郭パイプ２５の中心に前記回転軸２２が位置する。回転軸２２は、それぞれ軸方向に離れて配置された複数の転がり軸受２６によって回転自在に支持されている。各転がり軸受２６間には、これら転がり軸受２６に予圧を発生させるためのばね要素２７Ａ，２７Ｂが設けられている。ばね要素２７Ａ，２７Ｂは、例えば圧縮コイルばねである。転がり軸受２６の内輪に予圧を発生させる内輪用ばね要素２７Ａと、外輪に予圧を発生させる外輪用ばね要素２７Ｂとがあり、これらが交互に配置されている。前記抜け止め部材２１は、固定ピン２８により外郭パイプ２５のパイプエンド部２５ａに固定され、その先端内周部で転がり軸受２９を介して回転軸２２の先端部を回転自在に支持している。パイプエンド部２５ａは、外郭パイプ２５と別部材とし、溶接等により結合してもよい。
【００２７】
外郭パイプ２５の内径面と回転軸２２の間には、互いに１２０度の位相にある周方向位置に、両端に貫通する３本のガイドパイプ３０がそれぞれ設けられている。そして、各ガイドパイプ３０の内径孔であるガイド孔３０ａ内に、力伝達部材である複数のボール３１ａと両端の柱状ピン３１ｂとでなる姿勢操作部材３１（３１Ｕ，３１Ｌ，３１Ｒ）が進退自在に挿通されている。ボール３１ａおよび柱状ピン３１ｂは、ガイド孔３０ａの長さ方向に沿って一列に配列されて隙間無く並んでいる。先端部材２側の柱状ピン３１ｂの先端は球面状で、その球面状の先端が、ハウジング１１の基端面に形成された径方向の溝部１１ｂの底面に当接している。溝部１１ｂおよび柱状ピン３１ｂは回転防止機構３７を構成し、溝部１１ｂに挿入された柱状ピン３１ｂの先端部が溝部１１ｂの側面に当たることで、先端部材２がスピンドルガイド部３に対して先端部材２の中心線ＣＬ１回りに回転するのを防止している。駆動部ハウジング４ａ側の柱状ピン３１ｂの先端も球面状で、後記レバー４３ｂの側面に当接している。
【００２８】
また、外郭パイプ２５の内径面と回転軸２２の間には、前記ガイドパイプ３０とは別に、このガイドパイプ３０と同一ピッチ円Ｃ上に、複数本の補強シャフト３４が配置されている。これらの補強シャフト３４は、スピンドルガイド部３の剛性を確保するためのものである。ガイドパイプ３０と補強シャフト３４の配列間隔は等間隔とされている。ガイドパイプ３０および補強シャフト３４は、外郭パイプ２５の内径面におよび前記転がり軸受２６の外径面に接している。これにより、転がり軸受２６の外径面を支持している。
【００２９】
図１および図４に示すように、工具回転用駆動機構４ｂは、工具回転用駆動源４１を備える。工具回転用駆動源４１は、例えば電動モータであり、その出力軸４１ａが前記回転軸２２の基端に結合させてある。また、姿勢制御用駆動機構４ｃは、各姿勢変更部材３１（３１Ｕ，３１Ｌ，３１Ｒ）にそれぞれ対応する３個の姿勢制御用駆動源４２（４２Ｕ，４２Ｌ，４２Ｒ）を備える。姿勢制御用駆動源４２は、ＰＷＭ波（パルス幅変調波）の電力により駆動される電動リニアアクチュエータであり、内蔵されている回転モータ（図示せず）の回転運動を、逆入力防止機構４５を兼ねる回転・直線運動変換機構を介して直線運動に変換し、出力ロッド４２ａに伝達する。出力ロッド４２ａは図１の左右方向に移動し、その出力ロッド４２ａの移動量すなわち姿勢制御用駆動源４２の動作量が、動作量検出器４６によって検出される。
【００３０】
上記回転・直線運動変換機構としては、三角ねじや台形ねじ等の滑りねじ型の送りねじ機構を採用できる。このような滑りねじ型の送りねじ機構を設けたことにより、姿勢制御用駆動源４２は、姿勢操作部材３１からの力で動作するのを防止する逆入力防止機能を有する。回転・直線運動変換機構としては、滑りねじ型の他に、ボールねじやラック・ピニオン機構等を用いてもよい。その場合は、逆入力防止機構を別に設けるのが望ましい。この場合の逆入力防止機構としては、ウォームギア等が採用できる。その他、減速比の大きい減速機構も採用できる。
なお、逆入力防止機構４５は、必ずしも姿勢制御用駆動源４２に設ける必要はなく、姿勢制御用駆動機構４ｃのどこか、すなわち姿勢制御用駆動源４２と姿勢操作部材３１との間に設ければよい。
【００３１】
出力ロッド４２ａの直線運動は、増力伝達機構４３を介して姿勢操作部材３１に伝達される。増力伝達機構４３は、支軸４３ａ回りに回動自在なレバー４３ｂを有し、このレバー４３ｂにおける支軸４３ａからの距離が長い作用点Ｐ１に出力ロッド４２ａの力が作用し、支軸４３ａからの距離が短い力点Ｐ２で姿勢操作部材３１に力を与える構成であり、姿勢制御用駆動源４２の出力が増力して姿勢操作部材３１に伝達される。レバー４３ｂの中間部には肉厚の薄い起歪部４３ｂａが設けられ、この起歪部４３ｂａの両側に起歪部４３ｂａに発生する歪みを検出する歪みセンサ４７が取付けられている。なお、回転軸２２は、レバー４３ｂに形成された開口４４を貫通させてある。
【００３２】
コントローラ５は、コンピュータ５Ａと、このコンピュータ５Ａに対して入力する手動操作式の回転速度設定手段５０および姿勢設定手段５１とを備える。回転速度設定手段５０は、スピンドル１３の回転速度を設定するものである。姿勢設定手段５１は、先端部材２のスピンドルガイド部３に対する目標姿勢を設定するものである。また、コントローラ５におけるコンピュータ５Ａは、工具回転用駆動源４１を制御する工具回転制御手段５２と、各姿勢制御用駆動源４２を制御する姿勢制御手段５３と、先端部材２に作用する外力を推定する外力推定手段５４とを備える。
【００３３】
工具回転制御手段５２は、前記回転速度設定手段５０からの入力に応じてモータドライバ５５に出力し、工具回転用駆動源４１を駆動させる。
【００３４】
姿勢制御手段５３は、初期姿勢保持制御部５３ａと姿勢変更制御部５３ｂとでなる。これら初期姿勢保持制御部５３ａおよび姿勢変更制御部５３ｂは、前記姿勢設定手段５１からの入力等に応じてモータドライバ５６に出力し、姿勢制御用駆動源４２を駆動させる。
【００３５】
初期姿勢保持制御部５３ａは、先端部材２を静止状態の初期姿勢で姿勢保持可能とする初期姿勢保持力Ｆ０（図５）を姿勢操作部材３１に与えるように各姿勢制御用駆動源４２を制御する。先端部材２の姿勢は、先端部材２に作用する外力と各姿勢制御用駆動源４２の推力とのバランスによって決定される。そこで、初期姿勢保持力Ｆ０を姿勢操作部材３１に与えるように姿勢制御用駆動源４２を制御することで、先端部材２を初期姿勢に保持する。姿勢制御用駆動源４２の推力によって、先端部材２の姿勢の維持、すなわち先端部材２の剛性確保を行うのである。
【００３６】
姿勢変更制御部５３ｂは、前記初期姿勢保持力Ｆ０よりも大きな力Ｆ５（図６）を姿勢操作部材３１に与えて姿勢操作部材３１を進退させることにより先端部材２の姿勢を変更させるように各姿勢制御用駆動源４２を制御する。先端部材２の姿勢を変更するときには、後で説明するように、先端部材２に静止時よりも大きな力が作用する。そこで、先端部材２の姿勢を変更する場合には、先端部材２の姿勢を維持するために、前記初期姿勢保持力Ｆ０よりも大きな力Ｆ５を姿勢操作部材３１に与えるように姿勢制御用駆動源４２を制御する。先端部材２の姿勢は、この先端部材２が初期姿勢にあるときの姿勢操作部材３１の位置を基準位置として、この基準位置に対する姿勢操作部材３１の進退量に応じて決定される。
【００３７】
具体的には、姿勢変更制御部５３ｂは、姿勢設定手段５１で設定された先端部材２の目標姿勢をそれに相当する姿勢操作部材３１の進退量に変換し、その変換した進退量に応じて姿勢制御用駆動源４２の動作量を変化させる。このように、姿勢操作部材３１の進退量に応じて姿勢制御用駆動源４２の動作量を変化させれば、先端部材２の姿勢変更制御が単純化されて容易である。
【００３８】
また、上記制御の際、動作量検出器４６によって検出された姿勢制御用駆動源４２の動作量を姿勢変更制御部５３ｂにフィードバックして、制御を行う。動作量検出器４６が設けられていると、姿勢制御用駆動源４２の動作量を正確に検出することができ、その出力を姿勢変更制御部５３ｂにフィードバックすることで、姿勢変更制御を精度良く行うことができる。
【００３９】
外力推定手段５４は、先端部材２に作用する外力と前記歪みセンサ４７の出力信号との関係を演算式またはテーブル等により設定した関係設定手段（図示せず）を有し、歪みセンサ４７から入力された信号から前記関係設定手段を用いて先端部材２に作用する外力を推定する。
【００４０】
この遠隔操作型アクチュエータの動作を説明する。
工具回転用駆動源４１を駆動すると、その回転力が回転軸２２を介してスピンドル１３に伝達されて、スピンドル１３と共に工具１が回転する。この回転する工具１により、骨等の切削が行われる。
【００４１】
先端部材２が静止状態の初期姿勢にあるときは、初期姿勢保持制御部５３ａにより各姿勢制御用駆動源４２を制御することで、先端部材２を初期姿勢に維持する。このとき各姿勢操作部材３１には、図５に示すように、姿勢制御用駆動源４２の推力からなる所定の初期姿勢保持力Ｆ０と、それに対する反力とが作用している。なお、図５は、図２（Ｂ）のＶ−ＣＬ２−Ｖ断面を簡略化して表した図であり、上側の姿勢操作部材３１Ｕと左側の姿勢操作部材３１Ｌとが表示されているが、図示されていない右側の姿勢操作部材３１Ｒにも同様の初期姿勢保持力Ｆ０が作用している。このように各姿勢操作部材３１に初期姿勢保持力Ｆ０を与えることで、先端部材２に作用する力のバランスが保たれて、先端部材２の姿勢が維持される。
【００４２】
使用時には、各姿勢制御用駆動源４２を駆動させて、遠隔操作で先端部材２の姿勢変更を行う。例えば、図２における上側の１つの姿勢操作部材３１Ｕを先端側へ進出させ、かつ他の２つの姿勢操作部材３１Ｌ，３１Ｒを後退させると、上側の姿勢操作部材３１Ｕによって先端部材２のハウジング１１が押されることにより、先端部材２は図２（Ａ）において先端側が下向きとなる側へ案内面ｆ１，ｆ２に沿って姿勢変更して、図３の状態となる。なお、姿勢操作部材３１Ｌ，３１Ｒは、姿勢制御用駆動源４２Ｌ，４２Ｒを姿勢制御用駆動源４２Ｕと逆向きに駆動させることで、先端部材２のハウジング１１に押されて後退する。
また、上側の姿勢操作部材３１Ｕは静止させた状態で、左側の姿勢操作部材３１Ｌを先端側へ進出させ、かつ右側の姿勢操作部材３１Ｒを後退させると、左側の姿勢操作部材３１Ｌによって先端部材２のハウジング１１が押されることにより、先端部材２は右向き、すなわち図２（Ａ）において紙面の裏側向きとなる側へ案内面ｆ１，ｆ２に沿って姿勢変更する。左右の姿勢操作部材３１Ｌ，３１Ｒを逆に進退させると、右の姿勢操作部材３１Ｒによって先端部材２のハウジング１１が押されることにより、先端部材２は左向きとなる側へ案内面ｆ１，ｆ２に沿って姿勢変更する。
姿勢操作部材３１を円周方向の３箇所に設けたことにより、上記のように先端部材２を上下左右の２軸（Ｘ軸、Ｙ軸）の方向に姿勢変更することができる。
【００４３】
先端部材２をＸ軸回りに姿勢変更する場合を例にとって、姿勢変更に必要な姿勢制御用駆動源４２Ｕの推力を説明する。図６は、先端部材２の姿勢変更時に先端部材連結部１５および各姿勢操作部材３１に作用する各力Ｆ１〜Ｆ５を示す図である。図６も、図５と同じ断面を簡略化して表した図である。Ｆ１は、姿勢変更開始時に上側の姿勢操作部材３１Ｕに作用する姿勢保持力とその反力である。この姿勢保持力は姿勢制御用駆動源４２の推力からなる。Ｆ２は、上側の姿勢操作部材３１Ｕを先端側へ進出させる際に生じる摩擦力である。Ｆ３は、先端部材連結部１５の案内面ｆ１，ｆ２間に生じる摩擦力である。Ｆ４は、左右の姿勢操作部材３１Ｌ，３１Ｒを後退させる際に生じる摩擦力である。正確には、左右の姿勢操作部材３１Ｌ，３１Ｒにそれぞれ摩擦力が生じており、両姿勢操作部材３１Ｌ，３１Ｒに生じる摩擦力の和がＦ４である。Ｆ５は、上側の姿勢操作部材３１Ｕを先端側へ進出させるのに要する姿勢制御用駆動源４２Ｕの推力である。これらの力Ｆ１〜Ｆ５は、次の関係が成り立つ。
Ｆ５＞Ｆ２＋Ｆ３＋Ｆ４＋Ｆ１      ・・・（式１）
ここで、Ｆ１≒Ｆ０であるから、式１は式２のように書き換えることができる。
Ｆ５＞Ｆ２＋Ｆ３＋Ｆ４＋Ｆ０      ・・・（式２）
つまり、姿勢制御用駆動源４２Ｕの推力Ｆ５は、初期姿勢保持力Ｆ０に各部の摩擦力Ｆ２，Ｆ３，Ｆ４を加えた力よりも大きい。例えば、推力Ｆ５は、初期姿勢保持力Ｆ０の２倍程度である。このように、初期姿勢保持力Ｐ０よりも大きな力を姿勢操作部材３１Ｕに与えるように姿勢制御用駆動源４２Ｕを制御することにより、先端部材２の姿勢変更が可能である。
【００４４】
このように、初期姿勢保持制御部５３ａにより先端部材２の静止時の姿勢を制御し、かつ姿勢変更制御部５３ｂにより先端部材２の姿勢変更時の姿勢を制御することにより、先端部材２およびそれに保持された工具１の姿勢を静止時、姿勢変更時共に適正に保つことができる。
【００４５】
前述したように、姿勢制御用駆動源４２は、ＰＷＭ波の電力により駆動され、かつ逆入力防止機能を有する。このことにより、姿勢操作部材３１Ｕは次のように動作する。すなわち、ＰＷＭ波がＯＮのとき（通電時）に姿勢操作部材３１Ｕが進出するが、逆入力防止機能により、ＯＦＦのとき（通電遮断時）でも姿勢操作部材３１Ｕが後退せずに、ＯＮのときの推力が維持される。つまり、姿勢操作部材３１Ｕは微小な進出を繰り返し連続的に行うのである。対して、逆入力防止機能を有しない場合、ＰＷＭ波がＯＦＦのときに姿勢操作部材３１Ｕが後退するので、姿勢操作部材３１Ｕの動作量は、ＰＷＭ波がＯＮのときの進出量とＯＦＦのときの後退量とを平均化したものとなる。したがって、この実施形態の構成は、逆入力防止機能を有しない場合に比べて、全体で大きな動作量が得られる。そのため、電動アクチュエータである姿勢制御用駆動源４２に小型のモータを使用することができる。また、姿勢制御用駆動源４２の発熱を抑えることができるとともに、姿勢制御用駆動源４２の放熱部を小さくすることができる。
【００４６】
また、増力伝達機構４３が設けられているため、小さな推力の姿勢制御用駆動源４２でも姿勢操作部材３１に大きな力を与える。このことによっても、姿勢制御用駆動源４２の小型化が可能になる。
【００４７】
切削加工中に工具１や先端部材２に外力が作用すると、その力が姿勢操作部材３１を介して増力伝達機構４３のレバー４３ｂに伝わり、レバー４３ｂの脆弱部である起歪部４３ｂａに歪みが生じる。この歪みが歪みセンサ４７に検出され、その出力信号が外力推定手段５４に送信される。外力推定手段５４は、この歪みセンサ４７の出力信号から先端部材２に作用する外力を推定する。このように推定される外力の大きさに応じて遠隔操作型アクチュエータ全体の送り量や先端部材２の姿勢変更を制御することにより、先端部材２に作用する外力を適正に保った状態で、安全かつ正確に骨の切削加工を行える。
【００４８】
また、先端部材２がスピンドルガイド部３に対して先端部材２の中心線ＣＬ１回りに回転するのを防止する回転防止機構３７が設けられているため、姿勢操作部材３１の進退を制御する姿勢操作用駆動機構４ｃや姿勢制御手段５３の故障等により工具１を保持する先端部材２が制御不能となった場合でも、先端部材２が中心線ＣＬ１回りに回転して加工箇所の周りを傷つけたり、先端部材２自体が破損したりすることを防止できる。
【００４９】
姿勢操作部材３１はガイド孔３０ａに挿通されているため、姿勢操作部材３１が長手方向と交差する方向に位置ずれすることがなく、常に先端部材２に対し適正に作用することができ、先端部材２の姿勢変更動作が正確に行われる。また、姿勢操作部材３１は、複数のボール３１ａおよび柱状ピン３１ｂからなり、全体で可撓性の性質を有するため、スピンドルガイド部３が湾曲した状態でも先端部材２の姿勢変更動作が確実に行われる。さらに、スピンドル１３と回転軸２２との連結箇所の中心が案内面ｆ１，ｆ２の曲率中心Ｏと同位置であるため、先端部材２の姿勢変更によって回転軸２２に対して押し引きする力がかからず、先端部材２が円滑に姿勢変更できる。
【００５０】
この遠隔操作型アクチュエータは、例えば人工関節置換手術において骨の髄腔部を削るのに使用されるものであり、施術時には、先端部材２の全部または一部が患者の体内に挿入して使用される。このため、上記のように先端部材２の姿勢を遠隔操作で変更できれば、常に工具１を適正な姿勢に保持した状態で骨の加工をすることができ、人工関節挿入用穴を精度良く仕上げることができる。
【００５１】
細長形状であるスピンドルガイド部３には、回転軸２２および姿勢操作部材３１を保護状態で設ける必要があるが、外郭パイプ２５の中心部に回転軸２２を設け、外郭パイプ２５と回転軸２２との間に、姿勢操作部材３１を収容したガイドパイプ３０と補強シャフト３４とを円周方向に並べて配置した構成としたことにより、回転軸２２および姿勢操作部材３１を保護し、かつ内部を中空して軽量化を図りつつ剛性を確保できる。また、全体のバランスも良い。
【００５２】
回転軸２２を支持する転がり軸受２６の外径面を、ガイドパイプ３０と補強シャフト３４とで支持させたため、余分な部材を用いずに転がり軸受２６の外径面を支持できる。また、ばね要素２７Ａ，２７Ｂにより転がり軸受２６に予圧がかけられているため、ワイヤからなる回転軸２２を高速回転させることができる。そのため、スピンドル１３を高速回転させて加工することができ、加工の仕上がりが良く、工具１に作用する切削抵抗を低減させられる。ばね要素２７Ａ，２７Ｂは隣合う転がり軸受２６間に設けられているので、スピンドルガイド部３の径を大きくせずにばね要素２７Ａ，２７Ｂを設けることができる。
【００５３】
上記実施形態は、ガイドパイプ３０および姿勢操作部材３１を円周方向の３箇所に設けた構成であるが、図７のように、外郭パイプ２５内の互いに１８０度の位相にある２箇所にガイドパイプ３０および姿勢操作部材３１を設けた構成としてもよい。この場合、先端部材２は、Ｘ軸回りにのみ姿勢変更可能である。
【００５４】
上記各実施形態はスピンドルガイド部３が直線形状であるが、この発明の遠隔操作型アクチュエータは、姿勢操作部材３１が可撓性であり、スピンドルガイド部３が湾曲した状態でも先端部材２の姿勢変更動作が確実に行われるので、スピンドルガイド部３を初期状態で湾曲形状としてもよい。あるいは、スピンドルガイド部３の一部分のみを湾曲形状としてもよい。スピンドルガイド部３が湾曲形状であれば、直線形状では届きにくい骨の奥まで先端部材２を挿入することが可能となる場合があり、人工関節置換手術における人工関節挿入用穴の加工を精度良く仕上げることが可能になる。
【図面の簡単な説明】
【００５５】
【図１】この発明の実施形態にかかる遠隔操作型アクチュエータの全体構成を示す図である。
【図２】（Ａ）は同遠隔操作型アクチュエータの先端部材およびスピンドルガイド部の断面図、（Ｂ）はそのIIＢ−IIＢ断面図、（Ｃ）は先端部材と回転軸との連結構造を示す図、（Ｄ）は先端部材のハウジングを基端側から見た図である。
【図３】図２（Ａ）とは異なる状態を示す同先端部材およびスピンドルガイド部の断面図である。
【図４】図１のIV−IV断面図である。
【図５】同遠隔操作型アクチュエータの先端部材が初期姿勢にあるときに先端部材連結部および姿勢操作部材に作用する力を示す説明図である。
【図６】同遠隔操作型アクチュエータの先端部材を姿勢変更するときに先端部材連結部および姿勢操作部材に作用する力を示す説明図である。
【図７】（Ａ）はこの発明の異なる実施形態にかかる遠隔操作型アクチュエータの先端部材およびスピンドルガイド部の断面図、（Ｂ）はそのVIIＢ−VIIＢ断面図である。
【符号の説明】
【００５６】
１…工具
２…先端部材
３…スピンドルガイド部
４ａ…駆動部ハウジング
５…コントローラ
５Ａ…コンピュータ
１３…スピンドル
１５…先端部材連結部
２２…回転軸
２５…外郭パイプ
３０…ガイドパイプ
３０ａ…ガイド孔
３１…姿勢操作部材
３４…補強シャフト
４１…工具回転用駆動源
４２…姿勢制御用駆動源
４３…増力伝達機構
４５…逆入力防止機構
４６…動作量検出器
４７…歪みセンサ
５１…姿勢設定手段
５３…姿勢制御手段
５３ａ…初期姿勢保持制御部
５３ｂ…姿勢変更制御部
５４…外力推定手段
【図１】
2010063656.tif 000003
【図２】
2010063656.tif 000004
【図３】
2010063656.tif 000005
【図４】
2010063656.tif 000006
【図５】
2010063656.tif 000007
【図６】
2010063656.tif 000008
【図７】
2010063656.tif 000009